(57)【要約】【課題】操作者に対して違和感を与えるのを防止することが可能な遠隔操作装置を提供する。【解決手段】複数の第１の操作スイッチ２５２と、第１の表示部２６１と、第１の操作スイッチ２５２の操作に応じて第１の表示部２６１の表示内容を更新すると共に更新後の表示内容に基づく制御信号を第１の送信情報として空気調和機１に送信する制御部Ｄ３とを有する第１の送信装置２と、第２の操作スイッチ３５１と、第２の表示部３６３と、第２の操作スイッチ３５１の操作に応じて第２の表示部３６３の表示内容を更新すると共に更新後の表示内容に基づく制御信号を第２の送信情報として第１の送信装置２に送信する制御手段Ｆ２とを有する第２の送信装置３とを備え、第１の送信装置２が前記第２の送信情報を受信する受信部Ｄ２を有し、制御部Ｄ３は、前記第２の送信情報を受信すると、その送信情報に基づいて第１の表示部２６１の表示内容を更新する。【選択図】  図１
2004356675.tif 000002
【特許請求の範囲】
【請求項１】
複数の第１の操作スイッチと、第１の表示部と、前記第１の操作スイッチの操作に応じて前記第１の表示部の表示内容を更新すると共に更新後の表示内容に基づく制御信号を第１の送信情報として対象機器に送信する制御部とを有する第１の送信装置と、
前記第１の操作スイッチよりも少数で前記第１の操作スイッチのうち特定の操作スイッチと同機能を有する第２の操作スイッチと、第２の表示部と、前記第２の操作スイッチの操作に応じて前記第２の表示部の表示内容を更新すると共に更新後の表示内容に基づく制御信号を第２の送信情報として前記第１の送信装置に送信する制御手段とを有する第２の送信装置とを備え、
前記第１の送信装置が前記第２の送信情報を受信する受信部を有し、前記制御部は、前記第２の送信情報を受信すると、その送信情報に基づいて前記第１の表示部の表示内容を更新することを特徴とする遠隔操作装置。
【発明の詳細な説明】
【０００１】
【発明の属する技術分野】
本発明は、少なくとも２つの送信装置を備え、これら各送信装置を用いて対象機器に制御信号を送信する遠隔操作装置に関する。
【０００２】
【従来の技術】
従来、この種のリモートコントローラである送信装置は空気調和機等の制御機器（対象機器）の制御に使用されるものであり、略箱型形状からなるケース体と、このケース体内に組み込まれる液晶パネル、弾性部材や回路基板等の内機部品と、ケース体の前面に貼り付けられる表示パネルとから主に構成されている。
【０００３】
この場合、ケース体は液晶パネルの前面を露出する窓部と、弾性部材に一体形成され送信装置の操作スイッチとなる複数の押釦部が貫通する複数の貫通孔とを備えている。一方、表示パネルにはケース体の窓部を介して液晶パネルを臨ませてなる透明の表示窓部と、ケース体の各貫通孔に対応した複数の孔部とが形成され、これら各孔部の近傍に意匠表示部が設けられている。意匠表示部は、例えば運転／停止，運転切換，温度設定，風向，風速，ランドリー，スイング，タイマー，リセット等の文字からなり、表示パネルの母材となる透明基板上に印刷形成されている。なお、液晶パネルにはそのときの運転モードを知らせる液晶表示部が形成されている。
【０００４】
そして、送信装置の組み付け後には各押釦部が表示パネルの外部に露出するため、この外部に露出した各押釦部の露出部箇所は操作者による指先の押圧によって操作可能となり、操作者が各意匠表示部に対応する所定の押釦部（露出部）箇所を押圧操作することで液晶パネルの表示内容が所定の状態に切り替わると同時に、空気調和機の運転モード切換，風速，風向，温度等の設定データである空調管理データに応じた制御信号を空気調和機の本体側に設けられる制御装置に出力するものである。また、この出力信号は送信装置の回路基板に搭載された赤外線発光ダイオードから発信されるようになっている（例えば、特許文献１参照）。
【０００５】
また、かかる特許文献１に記載の送信装置に対して、使用頻度の高い押釦部並びにこの押釦部に対応する意匠表示部のみを設けた簡易型送信装置が知られており、この場合、簡易型送信装置に搭載されない押釦部並びに押釦部に対応する意匠表示部、すなわち使用頻度の低い押釦部及び意匠表示部は制御機器の本体側に設けられ、簡易型送信装置に搭載された押釦部の押圧操作によって制御機器を制御するための制御信号が制御機器の本体側に設けられる制御装置に出力されるものがある（例えば、特許文献２参照）。
【０００６】
【特許文献１】
特開平９−１８２１７８号公報
【０００７】
【特許文献２】
特開２００１−１２４４０８号公報
【０００８】
【発明が解決しようとする課題】
しかしながら、特許文献１に記載の送信装置、並びに特許文献２に記載の簡易型送信装置の場合、送信装置または簡易型送信装置に設けられた押釦部の押圧操作によって制御機器を制御するための制御信号が制御機器の本体側に設けられる制御装置に出力されるものである。また、特許文献１に記載の送信装置には、例えば風向や風速といった補助的な押釦部が複数種搭載されているため、各押釦部の操作が複雑となるだけでなく、補助的な複数の押釦部を搭載することで補助的な複数の押釦部の配置スペースが別途必要となるため、この配置スペースの確保に応じて液晶パネルのサイズが小型化され、これにより液晶パネルの液晶表示部の表示内容が見にくいものとなる。
【０００９】
そこで、特許文献１に記載の送信装置及び特許文献１に記載の送信装置の簡易リモートコントローラからなる簡易型送信装置を用いて同一の空気調和機（制御機器）を制御可能にするように設定することで、簡易型送信装置側の液晶パネルの外形形状を大きく設定することができる。しかも、簡易型送信装置には例えば「運転／停止，運転切換，温度設定」のみからなる各意匠表示部に対応する押釦部及び外形形状の大きく設定された液晶パネルが組み込まれているため、簡易型送信装置自体の操作が容易となると同時に、その液晶パネルの液晶表示部の表示内容も見やすいものとなり、上述した問題点を回避することができる。そして、簡易型送信装置における所定の押釦部の押圧操作によって空気調和機本体の制御装置側には押圧操作された押釦部の機能に応じた信号が出力されるようになっている。
【００１０】
しかしながら、例えば簡易型送信装置の押釦部の１つである運転切換用の押釦部の操作によって簡易型送信装置の液晶表示部の表示内容は例えば「冷房」表示から「除湿」表示に切り替わるが、この運転切換用の押釦部の押圧操作に応じた簡易型送信装置からの出力信号は送信装置側の受信部には出力されない。従って、送信装置の液晶表示部の表示内容は「冷房」表示から「除湿」表示に切り換わらずに「冷房」表示の状態が維持されたままとなり、これにより簡易型送信装置の液晶表示部の表示内容が送信装置の液晶表示部の表示内容とは異なるため、どちらか一方の送信装置における液晶表示部の表示内容を見ても現在の空気調和機の運転状態を正確に把握できないことになり、操作者に対して違和感を与えてしまうという問題を有していた。
【００１１】
本発明はこれらの点に鑑みてなされたものであり、その主な目的は、操作者に対して違和感を与えるのを防止することが可能な遠隔操作装置を提供せんとするものである。
【００１２】
【課題を解決するための手段】
本発明は前記目的を達成するため、複数の第１の操作スイッチと、第１の表示部と、前記第１の操作スイッチの操作に応じて前記第１の表示部の表示内容を更新すると共に更新後の表示内容に基づく制御信号を第１の送信情報として対象機器に送信する制御部とを有する第１の送信装置と、前記第１の操作スイッチよりも少数で前記第１の操作スイッチのうち特定の操作スイッチと同機能を有する第２の操作スイッチと、第２の表示部と、前記第２の操作スイッチの操作に応じて前記第２の表示部の表示内容を更新すると共に更新後の表示内容に基づく制御信号を第２の送信情報として前記第１の送信装置に送信する制御手段とを有する第２の送信装置とを備え、前記第１の送信装置が前記第２の送信情報を受信する受信部を有し、前記制御部は、前記第２の送信情報を受信すると、その送信情報に基づいて前記第１の表示部の表示内容を更新することを特徴とする。
【００１３】
【発明の実施の形態】
図１から図８は本発明の実施形態を示すもので、以下、これらに基づいて本発明の実施形態を例えば空気調和機を遠隔操作するための第１の送信装置とこの第１の送信装置を遠隔操作するための第２の送信装置とを備えた遠隔操作装置に適用した場合について説明する。なお、図１は本発明の実施形態による遠隔操作装置を示す図、図２は同実施形態による空気調和機の電気的構成を示すブロック図、図３は同実施形態による第１の送信装置の正面図、図４は図３のＡ−Ａ断面図、図５は同実施形態による第２の送信装置の正面図、図６は図５のＢ−Ｂ断面図、図７は同実施形態による第１の送信装置の電気的構成を示すブロック図、図８は同実施形態による第２の送信装置の電気的構成を示すブロック図である。
【００１４】
図１において、本実施形態における遠隔操作装置は、空気調和機１と、この空気調和機１である対象機器を遠隔操作するための第１の送信装置２と、この第１の送信装置２を遠隔操作するための第２の送信装置３とから構成されている。
【００１５】
空気調和機１は、第１の送信装置２からの赤外線通信によって送信される後述する第１の送信情報もしくは第２の送信情報からなる空調管理データに基づいて本体に備えられる各部を制御するものであり、赤外線通信信号である前記空調管理データを受信するための受信手段１１を備えている。
【００１６】
また空気調和機１は、図２に示すように受信手段１１によって受信した前記空調管理データをコード解析し、前記コードに応じてルーバー角度，風量及び温度等の各種制御を行うマイクロコンピュータ等から構成される制御装置１２と、前記空調管理データの受信を報知するため、２０Ｈｚ〜２万Ｈｚの範囲内の所定の周波数を有する可聴音である受信音を発するブザー１３とを備えている。なお、制御装置１２には、前記ルーバー角度を調整するステッピングモータ等の駆動手段や温度調整を行うためのヒータ等が電気的に制御可能なように接続されている。
【００１７】
第１の送信装置２は、図３，図４に示すようにベース部材２１と、このベース部材２１の前面側に配置される表示板２２と、ベース部材２１の背後を覆うカバー部材２３と、カバー部材２３に支持される回路基板２４と、回路基板２４とベース部材２１との間に配置され後述する第１の操作スイッチ（操作部）が表示板２２の前面に露出する弾性部材２５と、表示板２２と回路基板２４との間に配置される液晶パネル２６と、この液晶パネル２６と回路基板２４とを導通接続する導電部材２７とを備えている。なお、この場合ベース部材２１はカバー部材２３と組み合わされて回路基板２４や弾性部材２５、液晶パネル２６等の内機部品を収納するハウジングを構成する。
【００１８】
ベース部材２１は、例えば白色系の合成樹脂からなり、略断面「コ」字状の箱型形状に成形され、弾性部材２５を位置決めする複数の凸部２１１と、前記第１の操作スイッチが貫通する複数の貫通孔２１２と、表示板２２を収納する凹部２１３と、カバー部材２３側に突出する側壁部２１４と、この側壁部２１４の全周適宜箇所に形成される図示しない複数の係止部と、液晶パネル２６を収納する収納壁２１５と、収納壁２１５の開口幅よりも幅狭な開口幅を有し液晶パネル２６前面を露出する窓部２１６とを備えている。
【００１９】
表示板２２は、矩形シート状に形成され、運転／停止，温度設定，風向，風量，及び運転切換（暖房／冷房／除湿）等の文字からなる意匠部２２１と、この意匠部２２１の背景となる背景部２２２と、この背景部２２２の背面に形成される接着層２２３とを有している。なお、２２４はベース部材２１の窓部２１６を介して液晶パネル２６を臨ませる表示窓部であり、２２５はベース部材２１の貫通孔２１２に対応する表示板２２箇所に形成される孔部である。
【００２０】
意匠部２２１，背景部２２２は、ＰＣ等の透明材料からなる基板２２６の背面にスクリーン印刷等の手段を用いて印刷形成された印刷層からなり、意匠部２２１は例えば白色系インクにより形成され、背景部２２２は例えばブルー系インクにより形成されている。また、接着層２２３は例えばのり印刷等の手段により背景部２２２の背面に印刷形成されている。なお本実施形態では、表示窓部２２４に対応する基板２２６の背面箇所は背景部２２となる印刷層が抜き印刷されており、これによりベース部材１を通じて液晶パネル２６を視認し得る透視部２２７が形成されている。そして、接着層２２３は透視部２２７，孔部２２５の各々を取り巻く領域を除いて背景部２２２の背面に重ねて印刷されている。
【００２１】
カバー部材２３は、例えば白色系の合成樹脂からなり、ベース部材２１側が開口するケース体に成形され、回路基板２４側に突出する撓み防止リブ２３１と、ベース部材２１の側壁部２１４側に延びる側壁部２３２と、ベース部材２１の前記係止部に対応する側壁部２３２箇所に形成される図示しない係止爪とを備えている。
【００２２】
回路基板２４は、例えばガラスエポキシ系基材に配線パターン（図示せず）を施した硬質回路基板からなり、前記第１の操作スイッチの操作に応じて前記空調管理データの生成及び送信、また液晶パネル２６の後述する第１の表示部での前記空調管理データの表示を行わせるマイクロコンピュータ等から構成される制御部Ｆ３（図７参照）や例えば抵抗、コンデンサ等の各種回路部品（図示せず）が前記配線パターンに導通接続されている。なお、２４１は空気調和機１に前記空調管理データの信号を前記赤外線通信によって送信する赤外線発光ダイオードであり、この赤外線発光ダイオード２４１の折り曲げられた末端部２４２が孔（図示せず）に挿入され前記配線パターンに導通接続されている。
【００２３】
弾性部材２５は、シリコンゴム等の樹脂材料からなり、回路基板２４とベース部材２１の凸部２１１との間に保持される平板状の基部２５１と、この基部２５１から連続して表示板２２側に突出する複数の第１の操作スイッチ２５２と、基部２５１の周縁に設けられベース部材２１の凸部２１１と位置決めされる位置決め部２５３とを備えており、この場合、第１の操作スイッチ２５２は利用者による外部からの押圧操作が可能な操作部を構成する。
【００２４】
ここで、各第１の操作スイッチ２５２に対応する表示板２２箇所には意匠部２２１がそれぞれ位置するようになっており、これら意匠部２２１は表示情報（所定の情報）として各第１の操作スイッチ２５２の操作種別を示すものである。例えば、「運転／停止」なる意匠部２２１に対応（隣接）する第１の操作スイッチ２５２を押すことにより前記第１の表示部がその操作状態（運転か停止のいずれを選択したか）を表示し、これが透視部２２７を通じて視認されると共に、赤外線発光ダイオード２４１から空気調和機１の運転または停止を制御するための前記空調管理データである送信信号が空気調和機１の受信手段１１に送信される。そして、この送信信号が空気調和機１の受信手段１１によって受信されることによりその運転または停止状態が切り換わり、空気調和機１のブザー１３から前記受信音が発せられるようになっている。
【００２５】
液晶パネル２６は、１対のガラス基板間に液晶を封入したものであり、この液晶パネル２６にはそのときの空気調和機１の運転状態を知らせる第１の表示部２６１が形成されている。この場合、第１の表示部２６１は、室内の温度が例えば「２５度」であることを示す温度表示部２６２と、空気調和機１の運転モードが「冷房」運転モードであることを示す運転モード表示部２６３と、空気調和機１から送り出される風量の度合いを示す風量表示部２６４とを備えている。例えば、各第１の操作スイッチ２５２のうち運転モード切換を行うための「運転切換」なる意匠部２２１に対応する第１の操作スイッチ２５２を順次押すことにより「除湿」、「暖房」、「冷房」等の順に切り換わるように選択表示される。
【００２６】
なお、第１の表示部２６１は温度表示部２６２、運転モード表示部２６３、風量表示部２６４のみに限定されることはなく、風向表示部、時計表示部、タイマー表示部等の各種空調管理データを表示させるようにしてもよい。
【００２７】
第２の送信装置３は、図５，図６に示すようにベース部材３１と、このベース部材３１の前面側に配置される表示板３２と、ベース部材３１の背後を覆うカバー部材３３と、カバー部材３３に支持される回路基板３４と、回路基板３４とベース部材３１との間に配置され後述する第２の操作スイッチが表示板３２の前面に露出する弾性部材３５と、表示板３２と回路基板３４との間に配置される液晶パネル３６と、この液晶パネル３６と回路基板３４とを導通接続する導電部材３７とを備えている。
【００２８】
なお、この第２の送信装置３は第１の送信装置２に対して、第２の送信装置３に配設される前記第２の操作スイッチの形成個数を第１の送信装置２に配設される第１の操作スイッチ２５２の形成個数よりも少なくしたものであり、他の構成は前述した第１の送信装置２と同一構成であるため、第２の送信装置３における各構成部品の詳細な説明は省略するものとする。
【００２９】
ゆえに、第２の送信装置３は、第１の送信装置２の各第１の操作スイッチ２５２のうち、使用頻度の高い操作部（前記第２の操作スイッチ）のみを搭載した構成となっている。しかも、第２の送信装置３には、第１の送信装置２に設定された機能のうち風向，風量，タイマー運転等の補助的な機能が搭載されていないため，風向，風量，タイマー等の文字からなる意匠部２２１、及びこれら風向，風量，タイマー等の意匠部２２１に対応する各第１の操作スイッチ２５２が配設されていない。これにより、第２の送信装置３は第１の送信装置２における前記第２の操作スイッチ以外の操作部やこの操作部に対応した意匠部が不要となるため、第２の送信装置３の外形形状は第１の送信装置２よりも小さくすることができる。
【００３０】
すなわち、第２の送信装置３には第１の送信装置２に設定された機能のうち、温度調節機能，運転モード（暖房／冷房／除湿）の切換機能、並びに運転・停止状態の切換機能のみが備えてられている。そして、本実施形態では、これら温度調節機能，運転モードの切換機能、並びに運転・停止状態の切換機能に対応する温度調節（温度上昇、温度下降）用の２つの押釦部３５１ａ，３５１ｂ、運転モード切換用の押釦部３５１ｃ、運転・停止状態切換用の押釦部３５１ｄからなる４つの第２の操作スイッチ３５１が第２の送信装置３の弾性部材３５に一体形成されている。従って、第２の遠隔装置３の液晶パネル３６には第１の送信装置２（液晶パネル２６）に表示されている第１の表示部２６１のうち前記温度調節機能に対応する温度表示部３６１並びに前記運転モードの切換機能に対応する運転モード表示部３６２からなる第２の表示部３６３が表示されており、風向，風量，タイマー運転等の補助的な機能に対応する表示は表示されないようになっている。
【００３１】
また、各第２の操作スイッチ３５１は第１の送信装置２の第１の操作スイッチ２５２と同様に、前記利用者による外部からの押圧操作が可能な操作部を構成する。また各第２の操作スイッチ３５１に対応する表示板３２箇所には意匠部３２１がそれぞれ位置するようになっている。すなわち、意匠部３２１は温度調節用の押釦部３５１ａ，３５１ｂに対応する表示板３２箇所に形成される「温度設定」なる意匠部３２１ａと、運転モード切換用の押釦部３５１ｃに対応する表示板３２箇所に形成される「運転切換」なる意匠部３２１ｂと、運転・停止状態切換用の押釦部３５１ｄに対応する表示板３２箇所に形成される「運転／停止」なる意匠部３２１ｃとを有している。これら各意匠部３２１は表示情報（所定の情報）として各第２の操作スイッチ３５１の操作種別を示すものである。
【００３２】
次に、図７を用いて第１の送信装置２の電気的構成について説明する。
【００３３】
図７において、第１の送信装置２は、第１の操作手段Ｄ１と、受信部Ｄ２と、制御部Ｄ３と、第１の表示手段Ｄ４と、第１の送信手段Ｄ５とから主に構成されるもので、第１の操作手段Ｄ１及び受信部Ｄ２が制御部Ｄ３の入力手段となり、第１の表示手段Ｄ４及び第１の送信手段Ｄ５が制御部Ｄ３に対する出力手段となる。
【００３４】
第１の操作手段Ｄ１は、「運転／停止」，「運転切換」，「温度設定」，「風向」，「風量」等からなる意匠部２２１に対応する第１の操作スイッチ２５２群からなり、前記利用者による所定の第１の操作スイッチ２５２の操作により前記温度調節機能，運転モードの切換機能、運転・停止状態の切換機能の他に風向調節機能，風量調節機能等の各種空調管理データに応じた制御信号を制御部Ｄ３に出力するものである。
【００３５】
受信部Ｄ２は、第２の送信装置３の赤外線発光ダイオード３４１から発せられる赤外線通信信号である、例えば運転モードを「冷房」から「除湿」に切り換えるための前記第２の送信情報を受信し、この受信した前記第２の送信情報を制御部Ｄ３に出力するものである。
【００３６】
制御部Ｄ３は、処理動作のプログラムが記憶されたＲＯＭや演算値を一時的に記憶するＲＡＭ，前記プログラムを実行するためのＣＰＵ等を有するマイクロコンピュータからなり、回路基板２４上に搭載され、第１の操作手段Ｄ１、受信部Ｄ２、後述する各手段に対して電気的な接続関係をなすためのＩ／Ｏインターフェイスを備えるものである。
【００３７】
第１の表示手段Ｄ４は、第１の送信装置２における表示板２２の透視部２２７を通じて視認される液晶パネル２６の第１の表示部２６１からなり、第１の操作手段Ｄ１（第１の操作スイッチ２５２）の操作あるいは受信部Ｄ２を通じて受信される前記第２の送信情報によって前記空調管理データの設定状態を表示出力するものである。
【００３８】
第１の送信手段Ｄ５は、回路基板２４に搭載された赤外線発光ダイオード２４１からなり、第１の操作手段Ｄ１の操作あるいは受信部Ｄ２を通じて受信される前記第２の送信情報に応じた制御信号を空気調和機１に対して送信するものである。
【００３９】
ここで、制御部Ｄ３により実行される第１の送信装置２の空調管理データ処理について説明する。すなわち本実施形態の場合、制御部Ｄ３は第１の操作手段Ｄ１の操作による信号入力あるいは受信部Ｄ２を通じて受信される前記第２の送信情報を受信する。この際、制御部Ｄ３は第１の操作手段Ｄ１の操作による信号が入力されると、第１の操作手段Ｄ１の前記信号入力に応じて空気調和機１における温度，運転モード（暖房／冷房／除湿）切換，運転・停止状態の切換，風量，風向等に関する前記空調管理データである第１の送信情報を第１の表示手段Ｄ４である第１の表示部２６１上に表示する。
【００４０】
また、制御部Ｄ３が、例えば後述する第２の操作手段の操作により受信部Ｄ２を通じて受信される受信信号を受信すると、制御部Ｄ３は前記受信信号に応じて例えば空気調和機１の運転モード切換に関する前記第２の送信情報を第１の表示手段Ｄ４である第１の表示部２６１上に表示する。すなわち、前記第２の操作手段における運転モード切換用の第２の操作スイッチ３５１ｃの操作を行う前段階において、第１の表示手段Ｄ４からなる液晶パネル２６の運転モード表示部２６３は「冷房」表示となっているが、運転モード切換用の第２の操作スイッチ３５１ｃの操作によって、受信部Ｄ２は空気調和機１の運転モードを「冷房」から「除湿」に切り換えるための制御信号を受信し、この受信部Ｄ２に受信される前記制御信号に基づいて運転モード表示部２６３が「冷房」表示から「除湿」表示に切り換わる（更新される）ようになっている。
【００４１】
これと同時に、制御部Ｄ３は第１の操作手段Ｄ１の前記信号入力あるいは受信部Ｄ２を通じて受信される前記第２の送信情報に応じて赤外線発光ダイオード２４１により送信可能な前記第１の送信情報あるいは前記第２の送信情報を生成し、この前記第１の送信情報あるいは前記第２の送信情報を赤外線発光ダイオード２４１から発せられる赤外線通信信号によって空気調和機１の受信手段１１に送信するものである。そして、この送信信号が空気調和機１の受信手段１１によって受信されることにより、空気調和機１の運転モードは「冷房」から「除湿」に切り替わり、空気調和機１のブザー１３から前記受信音が発せられるようになっている。
【００４２】
次に、図８を用いて第２の送信装置３の電気的構成について説明する。
【００４３】
図８において、第２の送信装置３は、第２の操作手段Ｆ１と、制御手段Ｆ２と、第２の表示手段Ｆ３と、第２の送信手段Ｆ４とから主に構成される。
【００４４】
第２の操作手段Ｆ１は、「運転／停止」，「運転切換」，「温度設定」なる意匠部３２１に対応する第２の操作スイッチ３５１群からなり、前記利用者による所定の第２の操作スイッチ３５１の操作により前記温度調節機能，運転モードの切換機能、もしくは運転・停止状態の切換機能に応じた制御信号を制御手段Ｆ２に出力するものである。
【００４５】
制御手段Ｆ２は、処理動作のプログラムが記憶されたＲＯＭや演算値を一時的に記憶するＲＡＭ，前記プログラムを実行するためのＣＰＵ等を有するマイクロコンピュータからなり、回路基板３４上に搭載され、第２の操作手段Ｆ１、後述する各手段に対して電気的な接続関係をなすためのＩ／Ｏインターフェイスを備えるものである。
【００４６】
第２の表示手段Ｆ３は、第１の送信装置２における表示板２２の透視部２２７に相当する第２の送信装置３の表示板３２に設けられた透視部３２２を通じて視認される液晶パネル３６の第２の表示部３６３からなり、第２の操作手段Ｆ１（第２の操作スイッチ３５１）の操作によって前記空調管理データの設定状態を表示出力するものである。
【００４７】
第２の送信手段Ｆ４は、回路基板３４に搭載された赤外線発光ダイオード３４１からなり、第２の操作手段Ｆ１の操作に応じた制御信号を第１の送信装置２に対して出力するものである。
【００４８】
ここで、制御手段Ｆ２により実行される第２の送信装置３の空調管理データ処理について説明する。すなわち本実施形態の場合、制御手段Ｆ２は例えば第２の操作手段Ｆ１における運転モード切換用の第２の操作スイッチ３５１ｃの操作による信号が入力されると、この第２の操作スイッチ３５１ｃの信号入力に応じて空気調和機１における運転モード切換に関する前記空調管理データ（前記第２の送信情報）を第２の表示手段Ｆ３上に表示する。このとき、例えば運転モード切換用の第２の操作スイッチ３５１ｃの操作を行う前段階において、第２の表示手段Ｆ３からなる液晶パネル３６の運転モード表示部３６２は「冷房」表示となっているが、運転モード切換用の第２の操作スイッチ３５１ｃの操作によって運転モード表示部３６２は「冷房」表示から「除湿」表示に切り換わる（更新される）ようになっている。
【００４９】
これと同時に、制御手段Ｆ２は第２の操作スイッチ３５１ｃの前記信号入力に応じて第２の送信手段Ｆ４である赤外線発光ダイオード３４１により送信可能な運転モードを「冷房」から「除湿」に切り換えるための前記運転モード切換に関する前記第２の送信情報を生成し、この運転モードを「冷房」から「除湿」に切り換えるための前記第２の送信情報を赤外線発光ダイオード３４１から発せられる赤外線通信信号によって第１の送信装置２の受信部Ｄ２に送信するものである。
【００５０】
従って、第２の送信装置３における運転モード切換用の第２の操作スイッチ３５１ｃの押圧操作の前段階において、例えば各遠隔操作装置２，３の各液晶パネル２６，３６の運転モード表示部２６３，３６２が共に「冷房」表示となっており、このとき運転モード切換用の第２の操作スイッチ３５１ｃを押圧操作すると、この第２の操作スイッチ３５１ｃの押圧操作により第２の送信装置３の運転モード表示部３６２が「冷房」表示から「除湿」表示に切り換わる。一方、第１の送信装置２側では第２の送信装置３の赤外線発光ダイオード３４１から発せられる運転モードを「冷房」から「除湿」に切り換えるための前記第２の送信情報からなる赤外線通信信号を受信することで、前述のように第１の送信装置２の運転モード表示部２６３が「冷房」表示から「除湿」表示に切り換わる。
【００５１】
これにより第２の送信装置３の運転モード表示部３６２の表示内容が第１の送信装置２の運転モード表示部２６３の表示内容に一致し、従来のように簡易型送信装置の液晶パネルの表示内容が送信装置の液晶パネルの表示内容とは異なることがなくなるため、前記操作者が各送信装置２，３（各液晶パネル２６，３６）に備えられている共通表示内容である温度表示部や運転モード表示部等を見たい場合には、どちらか一方の遠隔操作装置における液晶パネルの表示内容を見れば現在の空気調和機１の運転状態（この場合は、温度設定や運転モード）を正確に把握することができ、操作者に対して違和感を与えるのを防止することが可能となる。
【００５２】
【発明の効果】
以上、本発明によれば、初期の目的を達成することができ、操作者に対して違和感を与えるのを防止することが可能な遠隔操作装置を提供することができる。
【図面の簡単な説明】
【図１】本発明の実施形態による遠隔操作装置を示す図。
【図２】同実施形態による空気調和機の電気的構成を示すブロック図。
【図３】同実施形態による第１の送信装置の正面図。
【図４】図３のＡ−Ａ断面図。
【図５】同実施形態による第２の送信装置の正面図。
【図６】図５のＢ−Ｂ断面図。
【図７】同実施形態による第１の送信装置の電気的構成を示すブロック図。
【図８】同実施形態による第２の送信装置の電気的構成を示すブロック図。
【符号の説明】
１    空気調和機
２    第１の送信装置
３    第２の送信装置
１１    受信手段
２１，３１  ケース体
２２，３２  表示板
２５，３５  弾性部材
２６，３６  液晶パネル
２２１，３２１  意匠部
２４１，３４１  赤外線発光ダイオード
２５２    第１の操作スイッチ
３５１    第２の操作スイッチ
【図１】
2004356675.tif 000003
【図２】
2004356675.tif 000004
【図３】
2004356675.tif 000005
【図４】
2004356675.tif 000006
【図５】
2004356675.tif 000007
【図６】
2004356675.tif 000008
【図７】
2004356675.tif 000009
【図８】
2004356675.tif 000010